(57)【要約】      （修正有）【課題】本体ユニットの振動方向を増やすことで、筋肉および脂肪に複雑な振動を与えることが可能な痩身器を提供する。【解決手段】ユーザの肌面に当接される筐体と、偏心回転して前記筐体を振動させる柱状の回転体１３３を有する第１の振動部１３０と、回転体の周面に沿って設けられた磁性体１３７と、磁性体と磁気的に接続する第２の磁性体１５３およびおもり１５５を備え、回転体の回転に対応して、回転体による筐体の振動とは異なる方向に筐体を振動させる第２の振動部１５０とを具備する構成とする。【選択図】図２
2018050972.tif 000002
【特許請求の範囲】
【請求項１】
ユーザの肌面に当接される筐体と、
偏心回転して前記筐体を振動させる柱状の回転体を有する第１の振動部と、
前記回転体の周面に沿って設けられた磁性体と、
前記磁性体と磁気的に接続する第２の磁性体およびおもりを備え、前記回転体の回転に対応して、当該回転体による前記筐体の振動とは異なる方向に前記筐体を振動させる第２の振動部と
を具備することを特徴とする痩身器。
【請求項２】
ユーザの肌に当接される電極と、
前記電極に電圧を印加する電圧印加部と
をさらに具備することを特徴とする請求項１に記載の痩身器。
【請求項３】
前記回転体から間隔をあけて配置されかつ前記回転体の回転軸と並行するシャフトと、前記シャフトにスライド可能に設けられる移動体を前記第２の振動部が備え、
前記おもりおよび前記第２の磁性体は前記移動体に設けられ、
前記移動体は、前記磁性体に誘導されて前記シャフト上を往復移動すること
を特徴とする請求項１または２に記載の痩身器。
【請求項４】
前記磁性体が、前記回転体の周面を帯状に斜め方向に一周することを特徴とする請求項１ないし３のいずれか一項に記載の痩身器。
【請求項５】
前記回転体から間隔をあけて配置され、前記回転体の回転方に向直交する方向に回転する円筒状の第２の回転体を前記第２の振動部が備え、
前記おもりおよび前記第２の磁性体は前記第２の回転体に設けられ、
前記第２の回転体は、前記磁性体に誘導されて回転すること
を特徴とする請求項１または２に記載の痩身器。
【請求項６】
前記磁性体が前記回転体に複数設けられ、当該複数の磁性体は、互いに間隔を空け、かつ前記回転体の周方向に配列されることを特徴とする請求項５に記載の痩身器。
【請求項７】
前記磁性体と前記第２の振動部の磁気的な接続を弱める磁力弱化手段をさらに具備することを特徴とする請求項１ないし６のいずれか１項に記載の痩身器。
【発明の詳細な説明】
【技術分野】
【０００１】
本発明は、痩身器に関する。
【背景技術】
【０００２】
従来から、偏心モータを収容し、ユーザの肌に密着される本体ユニットを備える痩身運動器具が知られている。この痩身運動器具では、偏心モータが偏心回転することによって本体ユニット全体が振動する。この振動をユーザの肌（筋肉および脂肪）に与えることができる（例えば、特許文献１参照）。
【先行技術文献】
【特許文献】
【０００３】
【特許文献１】国際公開２００９／１３０８０２号
【発明の概要】
【発明が解決しようとする課題】
【０００４】
上記のような痩身運動器具において、本体ユニットの振動方向を増やすことで、筋肉および脂肪に複雑な振動を与えたいという要望がある。
本発明は、この事情に鑑みてなされたものであり、本体ユニットの振動方向を増やすことで、筋肉および脂肪に複雑な振動を与えることが可能な痩身器を提供することを目的とする。
【課題を解決するための手段】
【０００５】
本発明の実施形態の痩身器は、ユーザの肌面に当接される筐体と、偏心回転して前記筐体を振動させる柱状の回転体を有する第１の振動部と、前記回転体の周面に沿って設けられた磁性体と、前記磁性体と磁気的に接続する第２の磁性体およびおもりを備え、前記回転体の回転に対応して、当該回転体による前記筐体の振動とは異なる方向に前記筐体を振動させる第２の振動部とを具備する。
【図面の簡単な説明】
【０００６】
【図１】第１の実施形態の痩身器１の斜視図。
【図２】振動ユニット２０の内部構造を示す概略図。
【図３】振動ユニット２０の内部構造を示す概略図。
【図４】回転体１３３を展開した概念図。
【図５】回転体１３３を展開した概念図。
【図６】第２実施形態に係る振動ユニット２０の内部の模式図。
【図７】第２実施形態に係る加振部２５０の一部を示す概略図。
【図８】加振部２５０の回転を説明する模式図。
【図９】変形例２に係る振動ユニット２０の内部構造を示す概略図。
【発明を実施するための形態】
【０００７】
［第１の実施形態］
以下、第１の実施形態を図に基づき説明する。
まずは、図１を参照して第１の実施形態の痩身器１について詳細に説明する。図１は、第１の実施形態の痩身器１の斜視図である。
【０００８】
図１に示すように、痩身器１は、ベルト１０および振動ユニット２０を備える。なお、図１では、見やすさを優先するため、ベルト１０を破線で示すとともに全体の長さを短く示している。
【０００９】
痩身器１は、振動ユニット２０の振動によって、ユーザの身体に例えば、以下（１）〜（４）の効果を与えることを目的とした装置である。
【００１０】
（１）老廃物の排泄促進。
（２）脂肪分解の促進。
（３）血液循環の促進。
（４）筋肉および脂肪への刺激による運動。
【００１１】
痩身器１には図示しないＡＣアダプタを介して商用電源から電力が供給される。痩身器１は、電池を内蔵することができる。
【００１２】
痩身器１には、図示しないＥＭＳ用電極を取り付けることもできる。
「ＥＭＳ」とはＥｌｅｃｔｒｉｃａｌ  Ｍｕｓｃｌｅ  Ｓｔｉｍｕｌａｔｉｏｎ：電気的筋肉刺激の頭文字である。このＥＭＳ用電極にパルス性の電流（ＥＭＳ用電流）を流して、ユーザの筋肉を強制的に収縮運動させることにより、リンパ液の流れを促進させて疲労回復等のトリートメントを行ったり、筋肉の強化を図ったりすることができる。
上記した振動やＥＭＳ用電流は、商用電源や電池の電力から生み出される。
【００１３】
ＥＭＳ用電極の材質は、導電性を有するとともに屈撓性を備えたものが望ましい。例えば、ＥＭＳ用電極を樹脂などの弾性部材により形成すると、身体への密着性が向上するとともに、身体に接触させた際の肌当たりが良い。ＥＭＳ用電極の配置数は、偶数個でも、奇数個でもどちらでもよく、一対以上であれば特に限定されない。例えば、２個のＥＭＳ用電極を一対として、さらにもう１個の電極を痩身器１が有し、合計で３個のＥＭＳ用電極を備えるようにしてもよい。
【００１４】
ベルト１０は、振動ユニット２０に設けられる。ベルト１０によって、振動ユニット２０をユーザの身体に装着することができる。
【００１５】
振動ユニット２０は、筐体２１および振動部２２を備えている。
筐体２１は、上面２１ａ、側面２１ｂ、正面２１ｃを備える。筐体２１は、振動部２２を収容する。筐体２１には、ＡＣアダプタが接続される電源コネクタを配設してもよい。
【００１６】
上面２１ａには、スイッチ群３０が配設される。スイッチ群３０を構成するそれぞれのスイッチは、例えば、「主電源スイッチ」、「振動のオン・オフスイッチ」、「振動の強度増減スイッチ」、「ＥＭＳ用電流オン・オフスイッチ」、「ＥＭＳ用電流の強度増減スイッチ」、「ＥＭＳ電流パターン切り替えスイッチ」である。
【００１７】
上面２１ａには、スイッチ群３０の操作結果（例えば、現在主電源スイッチがオンかオフかなど）を示す表示部を設けてもよい。表示部は、液晶画面でもよいし、ｌｉｇｈｔ  ｅｍｉｔｔｉｎｇ  ｄｉｏｄｅ（ＬＥＤ）を配列させたインジケータでもよい。
【００１８】
側面２１ｂには、ベルト１０が通される孔２１ｄが設けられている。この孔２１ｄには、ベルト１０を筐体２１に固定するための留め金などを取り付けることもできる。
【００１９】
正面２１ｃは、ユーザの身体に振動ユニット２０が装着されたときに、ユーザの身体側に位置する面である。正面２１ｃには、ＥＭＳ用電極が取り付けられるためのアタッチメント５０および５１が配置される。
【００２０】
アタッチメント５０は、ＥＭＳ用電極に対する電気的接点であり、ＥＭＳ用電極を振動ユニット２０に固定するための固定手段でもある。アタッチメント５０および５１には、ＥＭＳ用電極にＥＭＳ用電流を流すための電圧（ＥＭＳ用電圧）が印加される。
【００２１】
ここでは、アタッチメント５０は、上下一対の２点でＥＭＳ用電極を保持する。
アタッチメント５０に取り付けられたＥＭＳ用電極は、例えば、ＥＭＳ用電流をユーザの肌（筋肉）に流すための陽極（陰極）として作用する。また、振動ユニット２０の振動はＥＭＳ用電極を介してユーザの身体に伝わる。
【００２２】
アタッチメント５１もアタッチメント５０と同様である。アタッチメント５１に取り付けられたＥＭＳ用電極は、例えば、ＥＭＳ用電流をユーザの肌（筋肉）に流すための陰極（陽極）として作用する。
（振動部２２について）
【００２３】
次に図２および図３を参照して振動部２２について詳細に説明する。図２および図３は、振動ユニット２０の内部構造を示す概略図である。図３は、図２に示した回転体１３３が半周回転した状態を示している。
【００２４】
図２および図３においては、それぞれ互いに直交するｘ軸、ｙ軸およびｚ軸で方向を示している。例えば、図１のように痩身器１を正面２１ｃ側からその反対側の背面側へ見たときの左右方向をｘ軸の方向、前後方向をｙ軸の方向、高さ（上下）方向をｚ軸の方向としている。また、図中の「○」の中に「×」が記載されたものは図面の表から裏に向かう矢印を意味する。
【００２５】
図２および図３に示すように振動部２２は、制御回路基板１００、駆動モータ１１０、伝達ベルト１２０、偏心回転部１３０（第１の振動部）、加振部１５０（第２の振動部）および一対のばね１６０を有する。
【００２６】
制御回路基板１００は、ＣＰＵ（Central Processing Unit）、ＲＯＭ（Read Only Memory）、ＲＡＭ（Random Access Memory）、コイルやコンデンサなどの電子素子、電気配線などで構成される制御回路１０１（電圧印加部）を有する。
【００２７】
制御回路１０１の具体例は、電源回路、駆動モータ１１０の駆動回路、ＥＭＳ用電流をＥＭＳ用電極に流すための発振回路や昇圧回路、ユーザによるスイッチ群３０の操作を検知する検知回路または表示部の制御回路である。
【００２８】
この種々の回路によって、制御回路１０１は、ユーザによるスイッチ群３０の操作を検知したり、検知した操作に対応させて振動部２２の振動のオンやオフまたは強弱をコントロールしたり、ＥＭＳ用電圧をアタッチメント５０および５１間に印加したり、表示部を制御したりすることができる。
【００２９】
制御回路１０１は、例えば、振動ユニット２０の振動の強弱や振動パターンをコントロールするために駆動モータ１１０の回転速度を変化させる。
制御回路１０１は、時間を計時するためのタイマー回路を備えてもよい。制御回路１０１は、タイマー回路による計時（例えば数秒〜十数秒）毎に、駆動モータ１１０の回転速度、回転方向、回転のオンまたはオフを切り変えることができる。この切り替えは、ユーザの身体に与えられる振動が単調になり、ユーザが飽きてしまうことを防止することを目的とする。
【００３０】
駆動モータ１１０は、制御回路１０１に制御されて回転する。駆動モータ１１０は、例えば、ＡＣモータ，ＤＣモータまたはステッピングモータである。駆動モータ１１０は、筐体２１に固定される。
【００３１】
伝達ベルト１２０は、駆動モータ１１０の回転を偏心回転部１３０に伝達する。この結果、駆動モータ１１０の回転と同期して、この後説明する偏心回転部１３０の回転体１３３が回転する。
【００３２】
偏心回転部１３０は、固定部材１３１ａ，１３１ｂ、おもり１３２、回転体１３３、シャフト１３４、シャフト１３５および磁性体１３７を備える。
固定部材１３１ａ，１３１ｂは、筐体２１に固定される。固定部材１３１ａ，１３１ｂは、ｚ軸方向に互いに所定の間隔をあけて配置される。固定部材１３１ａ，１３１ｂ間にはシャフト１３５が軸架される。
【００３３】
おもり１３２は、回転体１３３に設けられる。おもり１３２は、回転体１３３の重心を偏らせる。
回転体１３３は円柱形状を有する。回転体１３３は、上面１３３ａ、下面１３３ｂおよび周面（側面）１３３ｃを備える。周面１３３ｃは、上面１３３ａおよび下面１３３ｂを接続する。
【００３４】
回転体１３３は、伝達ベルト１２０によって駆動モータ１１０と接続されており、駆動モータ１１０の出力軸と同じ方向に回転する。回転体１３３の中心部には、上面１３３ａから下面１３３ｂにかけてシャフト１３５が貫通している。回転体１３３とシャフト１３５は、一体的に回転する。
【００３５】
回転体１３３は、おもり１３２によって偏心回転する。すなわち、振動しながら回転する。この振動が、シャフト１３５および固定部材１３１ａ，１３１ｂを介して筐体２１に伝わる。結果として回転体１３３が回転すると筐体２１が振動する。この回転体１３３による振動の成分は、ほぼｘ軸方向の振動と、ｙ軸方向の振動である。
【００３６】
シャフト１３４は、シャフト１３５と並行している。この実施例では、シャフト１３４の第１の端１３４ａは、制御回路基板１００を貫通して筐体２１の内壁に固定されている。シャフト１３４の第２の端１３４ｂは、固定部材１３１ｂに固定されている。シャフト１３４には、加振部１５０が移動可能に取り付けられる。
【００３７】
ここでは図示は省略したが、シャフト１３４は、２本設けられることが望ましい。２本のシャフト１３４は、例えば、ｙ軸に方向に並列して配置される。そして、加振部１５０は、この２本のシャフト１３４に跨って設けられることが望ましい。このことにより、加振部１５０がシャフト１３４を回転軸にして回転してしまうことを防止することができる。
【００３８】
磁性体１３７は、全体としてリング状に形成されており、回転体１３３の周面１３３ｃを一周している。磁性体１３７は、ここでは、回転体１３３の表面から露出している。磁性体１３７を露出させずに回転体１３３内に埋め込んでもよい。
磁性体１３７は、この後説明する加振部１５０の磁性体１５３と磁気的に接続している。
【００３９】
回転体１３３を平面視した場合、磁性体１３７は、端部１３３ｄからもう一方の端部１３３ｅに向かって帯状に、かつ斜めに伸びている。端部１３３ｅでの磁性体１３７の位置は、回転体１３３の回転に対応してｚ軸方向に変化（変位）する（図３参照）。
【００４０】
端部１３３ｅでの磁性体１３７の位置がｚ軸方向に変位すると、磁性体１３７が磁性体１５３を引っ張り、加振部１５０をｚ軸方向に移動させる。この状態を「磁性体１３７が磁性体１５３を誘導する」という。
【００４１】
磁性体１３７は、磁石（例えば、永久磁石や電磁石）で構成されることが望ましいが、磁性体１５３が磁石の場合、磁性体１３７は磁化可能な金属（例えば鉄）で構成されてもよい（例えば、金属プレート）。
（磁性体１３７の形状の具体例）
【００４２】
図４および図５を用いて、回転体１３３の周面１３３ｃ上での磁性体１３７の形状の具体例を説明する。図４および図５は、磁性体１３７の形状の説明のために回転体１３３を展開した概略図である。
図４に示すように磁性体１３７は、周面１３３ｃ上において略コサイン波状に形成されている。
【００４３】
磁性体１３７は、仮想的な領域Ｐ１〜Ｐ５に区分される。
領域Ｐ１は、周面１３３ｃ上において磁性体１３７が、上面１３３ａ側から下面１３３ｂ側に向かって斜めに大きく変化する領域である。この領域Ｐ１の磁性体１３７と磁気的に接続した加振部１５０は、この領域Ｐ１の変化量に対応してシャフト１３４上をｚ軸方向に移動する。
【００４４】
領域Ｐ２は、加振部１５０の折り返し部位（シャフト１３４の端１３４ａ側での加振部１５０の進行方向が反対になる部位）に対応する。領域Ｐ２の磁性体１３７は、Ｚ軸方向への変化量が領域Ｐ１に比べて緩やかになっている。
【００４５】
磁性体１３７の変化量が緩やかになることによって磁性体１３７に対する加振部１５０の追従性がよくなる。
領域Ｐ２において、Ｚ軸方向への磁性体１３７の変化量が必要以上に大きい場合、加振部１５０の折り返しが上手くいかず、磁性体１３７と加振部１５０の磁気的な接続が弱まってしまう可能性がある。
【００４６】
磁性体１３７に対する加振部１５０の追従性をよくすることで、磁性体１３７と加振部１５０の磁気的な接続が弱まってしまうことを防止することができる。
【００４７】
領域Ｐ３は、周面１３３ｃ上において磁性体１３７が、下面１３３ｂ側から上面１３３ａ側に向かって斜めに大きく変化する領域である。この領域Ｐ３の磁性体１３７と磁気的に接続した加振部１５０は、領域Ｐ１と同様に、領域Ｐ３の変化量に対応してシャフト１３４上をｚ軸方向（領域Ｐ１での移動方向とは逆の方向）に移動する。
【００４８】
周面１３３ｃ上では、領域Ｐ４と領域Ｐ５は連続している。領域Ｐ４および領域Ｐ５それぞれの幅（図中の矢印参照）は、領域Ｐ２の半分である。従って領域Ｐ４と領域Ｐ５の幅を足し合わせた幅と、領域Ｐ２の幅は同じになる。
【００４９】
領域Ｐ４および領域Ｐ５は、シャフト１３４の端１３４ｂ側での加振部１５０の折り返し部位に対応する。領域Ｐ４および領域Ｐ５の磁性体１３７は、領域Ｐ２と同様に、Ｚ軸方向へ変化量が領域Ｐ１や領域Ｐ３に比べて緩やかになっている。このことによって領域Ｐ４および領域Ｐ５においても磁性体１３７に対する加振部１５０の追従性がよくなる。
【００５０】
図５に示すように領域Ｐ１および領域Ｐ２を略直線状に形成してもよい。また、図４では、磁性体１３７は、一周期分のコサイン波形状を有していたが、例えば２周期分やそれ以上の周期のコサイン波形状を有してもよい。磁性体１３７は、略Ｖ字形状を有してもよい。また図４および図５に示した形状を適宜組み合わせてもよい。
【００５１】
また、図４および図５では、領域Ｐ２または領域Ｐ４，Ｐ５の幅は、領域Ｐ１または領域Ｐ３よりも狭く図示されている。各領域の幅は、これに限定されず、例えば、領域Ｐ２の幅が領域Ｐ１よりも広くてもよい。この幅は、上記した「追従性」によって適宜決められる。
（加振部１５０）
【００５２】
次に図２および３を参照して、加振部１５０について説明する。加振部１５０は、基台１５１（移動体）、磁性体１５３（第２の磁性体）およびおもり１５５を備える。加振部１５０は、筐体２１にｚ軸方向の振動を与える。
基台１５１は、例えば、直方体形状を有する。基台１５１は、対向面１５１ａおよび貫通孔１５１ｂを有する。基台１５１は、磁性体１５３を内蔵する。
【００５３】
対向面１５１ａは、回転体１３３と対向する。貫通孔１５１ｂは、基台１５１をｚ軸方向に貫通する。貫通孔１５１ｂには、シャフト１３４が挿入される。貫通孔１５１ｂは、シャフト１３４よりも径が大きい。貫通孔１５１ｂは、シャフト１３４の配設数に対応して適宜増減される。
【００５４】
磁性体１５３は、例えば、対向面１５１ａに設けられる。磁性体１５３は、ここでは、対向面１５１ａから露出しているものとする。ただし、磁性体１５３を露出させずに基台１５１内に埋め込んでもよい。また、磁性体１５３は、磁性体１３７の近傍に配置されれば、その配置位置は特に限定されない。
【００５５】
磁性体１５３は、磁性体１３７と磁気的に接続する。磁性体１５３は、磁石で構成されることが望ましいが、磁性体１３７が磁石の場合、磁性体１５３は磁化可能な金属（例えば鉄）で構成されてもよい（例えば、金属プレート）。
【００５６】
おもり１５５は、基台１５１にネジや接着剤によって取り付けられる。基台１５１自体をおもり１５５で構成してもよい。おもり１５５は、例えば、鉛や銅などの金属で形成されるが、一定以上の重量があれば特に素材は限定されない。
【００５７】
一対のばね１６０は、例えば、コイルスプリングである。この実施の形態では、一対のばね１６０内にシャフト１３４が挿入されている。一対のばねは、それぞれ加振部１５０と筐体２１の間に位置する。一対のばね１６０は、シャフト１３４上を移動しないように筐体２１などに固定されることが望ましい。
【００５８】
この実施の形態では、一対のばね１６０の一方と制御回路基板１００は接触しているが、制御回路基板１００保護のため、一対のばね１６０の一方と制御回路基板１００は非接触であることが望ましい。
【００５９】
一対のばね１６０は、加振部１５０が固定部材１３１ａ，１３１ｂや制御回路基板１００に衝突してしまうことを防止する。
（痩身器１の振動について）
【００６０】
以上のような構成を有する痩身器１では、回転体１３３が回転（偏心回転）することによって、筐体２１にｘ軸およびｙ軸方向の成分を有する振動が与えられる。
【００６１】
さらに痩身器１では、回転体１３３の回転によって、回転体１３３の端部１３３ｅでの磁性体１３７の位置がｚ軸方向に変位して、磁性体１５３を有する加振部１５０が、磁性体１３７にｚ軸方向に誘導される。このことより、加振部１５０は、磁性体１３７に追従してシャフト１３４上をｚ軸方向に移動する（図２および図３参照）。
【００６２】
回転体１３３が回転し続ける限り、加振部１５０は、シャフト１３４上を往復移動する。
【００６３】
このように加振部１５０がシャフト１３４上を移動すると、おもり１５５の重量によって筐体２１にｚ軸方向に荷重がかかり、筐体２１には、ｚ軸方向の成分を有する振動が与えられる。
（効果）
【００６４】
この実施の形態の痩身器１によれば、加振部１５０を備えることによって、偏心回転部１３０によるｘ軸およびｙ軸方向の成分を有する振動に加えて、ｚ軸方向の振動を筐体２１に与えることができる。この３軸の成分を有する振動をユーザの肌（筋肉および脂肪）に与えることができる。振動の成分が３軸分になることによって、振動の成分が２軸分のときよりも筐体２１に与えられる振動がより複雑になる。つまり、筐体２１はより複雑に振動する。
【００６５】
また。痩身器１では、加振部１５０が一対のばね１６０に受け止められる。加振部１５０を受け止めた一対のばね１６０は、加振部１５０によってＺ方向に押されるが、自身の復元力によって加振部１５０を反対方向に押し返す。この結果、加振部１５０は、シャフト１３４上を素早く反対方向に折り返すことができる。この結果、磁性体１３７に対する加振部１５０の追従性を向上させることができる。
【００６６】
また、加振部１５０が衝突することによって固定部材１３１ａ，１３１ｂや制御回路１０１にダメージが与えられることを一対のばね１６０によって防止することができる。また、衝突音が鳴ってしまうことを防止することができる。
【００６７】
すでに述べたように、磁性体１３７の領域Ｐ２および領域Ｐ４，Ｐ５（図４または図５参照）によっても磁性体１３７に対する加振部１５０の追従性を向上させることができる。
【００６８】
痩身器１では、磁力によって加振部１５０がシャフト１３４上を移動するので、筐体２１にｚ軸方向の成分を有する振動を与える構成をシンプルにできる。「シンプルにできる」とは、例えば、回転体１３３の回転をｚ軸方向に変換するギア装置などの機械部品が必要ないという意味である。
【００６９】
機械部品が多くなると動作音や製造コストの増加を招く恐れがあるが、痩身器１では、加振部１５０を備えることによってこのようなことを防止することができる。
（変形例１）
【００７０】
以上、第１の実施の形態の痩身器１について説明したが、痩身器１は、適宜変形が可能である。
例えば、磁性体１３７および磁性体１５３間に斥力を働かせて筐体２１をｚ軸方向に振動させてもよい。
【００７１】
［第２実施形態］
次に図６〜８を用いて本発明の第２実施形態について説明する。図６は、第２実施形態に係る振動ユニット２０の内部の模式図である。図７は、第２実施形態に係る加振部２５０の一部を示す概略図。図８は、加振部２５０の回転を説明する模式図である。なお、図８では、図を見やすくするために回転体１３３の端部の図示を省略している。
【００７２】
第２実施形態に係る痩身器２は、磁性体１３７および加振部１５０の形状や構成が第１実施形態と異なり、他の構成は第１実施形態と同じである。そのため、第１実施形態と同じ構成については同じ符号を使用し、その説明を省略する。
【００７３】
図６に示すように、痩身器２は、痩身器１が備える磁性体１３７に対応する磁性体部２３７および加振部１５０に対応する加振部２５０を備えている。
【００７４】
磁性体部２３７は、複数の矩形状の磁性体２３７ａを備えている。磁性体２３７ａは、第１の実施の形態の磁性体１３７と同じ素材で形成されている。磁性体２３７ａは、ここでは、回転体１３３の表面から露出している。磁性体２３７ａを露出させずに回転体１３３内に埋め込んでもよい。
【００７５】
回転体１３３を平面視した場合、磁性体２３７ａは、端部１３３ｄから端部１３３ｅに向かって一直線状に配列されている。磁性体２３７ａの各々の間には所定の距離が開けられている。なお、図６および図８において破線で示された磁性体２３７ａは、図６および図８では見えない裏側の周面１３３ｃに配設されていることを示している。
【００７６】
加振部２５０は、固定部材２５１、シャフト２５３、基台２５５（第２の回転体）、おもり２５７および複数の磁性体２５９（図７参照）を備える。
固定部材２５１は、筐体２１に固定される。固定部材２５１には、シャフト２５３の第１の端２５３ａが回転可能に挿入される。
【００７７】
シャフト２５３の第２の端２５３ｂは、基台２５５の中央部に挿入される。シャフト２５３と基台２５５は一体的に回転する。
基台２５５は、円筒状に形成される。基台２５５は、円状の表面２５５ａを備える。
基台２５５は、おもり２５７を収容する。
おもり２５７基台２５５の重心を偏らせる。
【００７８】
図７に示すように、複数の磁性体２５９はそれぞれ円盤状に形成されている。複数の磁性体２５９の形状は特に限定されず、立方体状に形成されることもある。複数の磁性体２５９は、表面２５５ａに設けられ、この表面２５５ａから露出している。ただし、磁性体２５９を露出させずに基台２５５内に埋め込んでもよい。複数の磁性体２５９は、痩身器１が備える磁性体１５３と対応する。
【００７９】
複数の磁性体２５９は、互いに所定の間隔をあけて表面２５５ａの縁に沿って円状に配列される。複数の磁性体２５９は、磁性体部２３７と磁気的に接続する。
（加振部２５０の回転について）
【００８０】
図８に示すように、複数のうちの一部の磁性体２３７ａと、複数のうちの一部の磁性体２５９は、配設位置が、ｘ軸方向に互いに重なっている。回転体１３３が回転することによって、複数の内の一部の磁性体２３７ａが、配設位置が対応する磁性体２５９をｙ軸方向に引っ張る。
【００８１】
この動作を連続することにより、基台２５５は、シャフト２５３を回転軸にして回転する。基台２５５は、おもり２５７によって重心が偏っているため、振動しながら回転する。この振動がシャフト２５３および固定部材２５１を介して筐体２１に伝わる。結果として基台２５５が回転すると、筐体２１には、軸方向の成分を有する振動が与えられる。
（効果）
【００８２】
痩身器２によれば、加振部２５０を備えることによって、偏心回転部１３０によるｘ軸およびｙ軸方向の成分を有する振動に加えて、ｚ軸方向の振動を筐体２１に与えることができる。この３軸の成分を有する振動をユーザの肌（筋肉および脂肪）に与えることができる。
【００８３】
［変形例２］
次に図９を用いて本発明の変形例２について説明する。図９は、変形例２の振動ユニット２０の内部構造を示す概略図である。
【００８４】
変形例２に係る痩身器３は、加振部１５０を移動可能とした構成を備え、その他の構成は第１実施形態と同じである。そのため、第１実施形態と同じ構成については同じ符号を使用し、その説明を省略する。
【００８５】
図９に示すように、痩身器３は、一対のスライドレール３１０、一対の支柱３２０、操作つまみ３３０を備える。一対のスライドレール３１０、一対の支柱３２０、操作つまみ３３０は、磁力弱化手段である。痩身器３の筐体２１には、操作つまみ３３０の一部が筐体２１の表面から露出するための操作孔３４０が設けられている。
【００８６】
操作孔３４０は、筐体２１の外部から内部にかけて貫通しており、ｘ軸方向に広がっている。
一対のスライドレール３１０は、筐体２１に固定されている。一対のスライドレール３１０は、ｚ軸方向に互いに所定の間隔をあけて配置される。
【００８７】
一対の支柱３２０は、一対のスライドレール３１０上を移動可能に設けられる。一対の支柱３２０には、加振部１５０、シャフト１３４および一対のばね１６０が設けられる。この構成によって、一対の支柱３２０、加振部１５０、シャフト１３４および一対のばね１６０が一体的に一対のスライドレール３１０上を移動する。
【００８８】
一対の支柱３２０の一方には、操作つまみ３３０が取り付けられる。操作つまみ３３０の一部は筐体２１外に露出している。
【００８９】
以上のような構成を有する痩身器３では、ユーザは、筐体２１外に露出した操作つまみ３３０の一部を指でつまんで、この操作つまみ３３０をｘ軸方向に移動させることができる。
【００９０】
結果として、一対の支柱３２０、加振部１５０、シャフト１３４および一対のばね１６０が一体的に一対のスライドレール３１０上を移動する。
このように一対の支柱３２０、加振部１５０、シャフト１３４および一対のばね１６０が一体的に一対のスライドレール３１０上を移動することよって、加振部１５０が磁性体１３７から離れるので、磁性体１３７と加振部１５０の磁気的な接続が弱まるか、または切れる。
【００９１】
この結果、磁性体１３７によって加振部１５０が誘導されなくなる。すなわち、回転体１３３の回転に対応して、加振部１５０がシャフト１３４上を移動することがなくなり、ｚ軸方向の成分を有する振動が筐体２１に与えられなくなる。
【００９２】
ユーザは、操作つまみ３３０を操作することで任意のタイミングで、加振部１５０によるｚ軸方向の成分を有する振動をキャンセルすることができる。
つまり、この変形例の痩身器３によれば、ユーザは任意のタイミングで、筐体２１の振動パターン（偏心回転部１３０による振動と、偏心回転部１３０および加振部１５０による振動）を切り替えることができる。
【００９３】
振動パターンを切り替えることで、ユーザが単調な振動に飽きてしまうことを防止することができる。
【００９４】
なお、ここでは図示を省略したが、互いの距離が離された加振部１５０と磁性体１３７が、振動や筐体の２１の傾きによって再接近してしまわないように、または、加振部１５０によるｚ軸方向の振動を筐体２１に与えたいときに加振部１５０と磁性体１３７の距離が離れてしまわないように、ｘ軸方向での加振部１５０の位置を固定可能な固定機構（ストッパ）をスライドレール３１０が備えることが望ましい。この固定機構は、例えば、磁石を使用したり、係止突起や係止溝を使用したりして実現される。
【００９５】
なお、制御回路１０１が、加振部１５０がスライドレール３１０上を移動するように電気的に制御してもよい。この場合、操作つまみ３３０は、なくてもよい。
【００９６】
［その他の変形例］
以上、本発明のいくつかの実施形態および変形例を説明したが、これらの実施形態および変形例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９７】
以下、その他の変形例（１）〜（５）を説明する。
（１）図９を用いて説明した変形例２の各構成を、図６〜８を用いて説明した第２の実施の形態の痩身器２が備えてもよい、この場合、加振部２５０がスライドレール３１０上を移動する。
【００９８】
（２）回転体１３３を偏心モータで構成してもよい。この場合、駆動モータ１１０を搭載しなくてもよい。
【００９９】
（３）痩身器３が、スライドレール３１０の代わりに磁気遮蔽板（磁気シールド）を備えてもよい。磁気遮蔽板が磁性体１３７と加振部１５０の間に挿入されることによって、磁性体１３７と加振部１５０の磁気的接続が弱まるか、切れる。磁気遮蔽板は特に限定されないが、例えば、鉄、コバルトまたはニッケルなどを多量に含む板や板状の磁石である。
【０１００】
（４）痩身器１〜３がアタッチメント５０，５１を備えないように構成してもよい。すなわち、ＥＭＳ用電流を流す構成を痩身器１〜３から取り除いてもよい。
（５）磁性体１３７、１５３、２５９および磁性体２３７ａを電磁石で構成してもよい。
【符号の説明】
【０１０１】
１，２，３…痩身器、１０…ベルト、２０…振動ユニット、２１…筐体、２２…振動部、３０…スイッチ群、５０，５１…アタッチメント、１００…制御回路基板、１０１…制御回路、１１０…駆動モータ、１２０…伝達ベルト、１３０…偏心回転部、１３３…回転体、１３４，１３５，２５３…シャフト、１３７，１５３，２３７，２５９…磁性体、１５０，２５０…加振部、１５１，２５５…基台、２５１…固定部材、３１０…スライドレール、３２０…支柱、３４０…操作孔。
【図１】
2018050972.tif 000003
【図２】
2018050972.tif 000004
【図３】
2018050972.tif 000005
【図４】
2018050972.tif 000006
【図５】
2018050972.tif 000007
【図６】
2018050972.tif 000008
【図７】
2018050972.tif 000009
【図８】
2018050972.tif 000010
【図９】
2018050972.tif 000011